(57)【要約】【課題】制御基板の発火事故の際、他部材への類焼を防ぐ安全な洗濯機を提供する。【解決手段】上部枠体３内部に配した操作基板１１ａと、高電流の流れる制御部品を実装した制御基板１１ｂと、操作基板１１ａと制御基板１１ｂを内装する難燃樹脂製の基板収納部１２と、基板収納部１２内部に充填した防湿用ポッティング材５４と、制御基板１１ｂの上面に覆うように構成した制御基板カバー１６とを備え、制御基板カバー１６は、側面にて基板収納部１２との嵌合部のラビリンス構造にて防水構造を有し、基板収納部１２の下面に金属鋼板製の下面板金カバー１８、上面に金属鋼板製の上面板金カバー１７を構成したもので、発火の可能性のある高電流が流れる部材を制御基板１１ｂに集中させ、万一の発熱や発火が生じても難燃性樹脂部材と金属鋼板製の板金カバー１７、１８にて延焼を防ぎ、製品の安全性を向上させる事ができる。【選択図】図１
2010094249.tif 000002
【特許請求の範囲】
【請求項１】
洗濯機本体の上部に装着し略中央部に衣類投入口を有する上部枠体と、前記上部枠体の前方の内部に配した操作用のスイッチ及びＬＥＤ等を実装する操作基板と、洗濯機を制御する高電流の流れる制御部品を実装した制御基板と、前記操作基板と前記上部枠体との間に配設したボタン部を有する操作パネルと、前記操作基板と前記制御基板と接続して情報を共有する通信用リード線と、前記操作基板と前記制御基板を内装する難燃樹脂製の基板収納部と、前記操作基板と前記制御基板を内装した状態で前記基板収納部内部にウレタン樹脂等を充填した防湿用ポッティング材と、前記制御基板の上面に前記制御基板を覆うように構成した制御基板カバーとを備え、前記制御基板カバーは、側面にて前記基板収納部との嵌合部を利用して防水構造を有し、前記基板収納部の制御基板部の下方に金属鋼板製の下面板金カバーと、前記制御基板カバー上面に金属鋼板製の上面板金カバーを構成した洗濯機。
【請求項２】
通信用リード線は、基板収納部内の操作基板収納部と制御基板収納部をつなぐ溝部の中を通る様に配線し、前記溝部両側には防湿用ポッティング材溢れ防止用の防水リブを形成し、操作パネルには前記溝部及び前記防水リブ部の約半分を覆う様に構成した操作パネル庇部と、制御基板カバーには前記溝部及び前記防水リブ部の残り半分を覆い、更に前記操作パネル庇部の一部までを覆う様に構成した制御基板カバー庇部を形成し、衣類投入口側の前記防水リブ外側に水抜き穴を設けた請求項１記載の洗濯機。
【請求項３】
基板収納部は、制御基板を内装した外周部には下面板金カバー端部を挿入する下面板金端部挿入溝部を構成し、制御基板カバー外周部には上面板金カバー端部を挿入する上面板金端部挿入溝部を構成した請求項１または２に記載の洗濯機。
【請求項４】
上面板金カバーは、側面先端部近傍には少なくとも１つ以上の爪部を形成し、制御基板カバーの上面板金端部挿入溝部に設けた穴部と嵌合させ、かつ前記下面板金カバーの側面先端部近傍にも少なくとも１つ以上の爪部を形成し、前記下面板金端部挿入溝部に設けた穴部と嵌合する構成とした請求項１〜３のいずれか１項に記載の洗濯機。
【請求項５】
下面板金カバーは、基板収納部に少なくとも１つ以上のネジにて固定した構成の請求項１〜４のいずれか１項に記載の洗濯機。
【発明の詳細な説明】
【技術分野】
【０００１】
本発明は、洗濯機本体の上部枠体の内方に制御装置を配した洗濯機の安全性に関するものである。
【背景技術】
【０００２】
従来、この種の洗濯機は、洗濯機本体の上部枠体の内方に配置した制御基板上に実装した電装部品で高電流が流れる部分を難燃性または不燃性の樹脂部材のカバー体で覆われるようにしている（例えば、特許文献１参照）。
【０００３】
図６は、特許文献１に記載された従来の洗濯機の上部枠体および制御装置の要部分解斜視図を示すものである。
【０００４】
図６に示すように、洗濯機本体（図示せず）の上部には、生産性やデザイン性を向上させるため、加工性の優れたＰＰ樹脂（ポリプロピレン）やＡＢＳ樹脂（アクリロニトリル・ブタジエン・スチレン）等の熱可塑性樹脂成形部材で構成された上部枠体３８が載置される。
【０００５】
上部枠体３８の前部には、シートにボタンの内容を印刷し、裏面に接着剤を塗布した操作カバー３９を貼付し、また、上部枠体３８の内部には、スイッチ３４や表示部材３３等を有する表示基板３５と、表示基板３５と信号用リード線３２で接続された制御基板３１とを配する。
【０００６】
表示基板３５は、低電流で動作するＬＥＤ等の表示部材３３やスイッチ３４が実装されており、一方制御基板３１には、高電流（例えば３アンペア以上）が流れるコネクタ４１ａ、リレー４２ａ、トライアック４２ｂなどの電装部品が実装されている。
【０００７】
制御基板３１および表示基板３５は、一方（上部枠体３８側）が開放した第１の舟状ケース３６、第２の舟状ケース３７の内部に内装された状態で、防湿のためウレタン樹脂等の防湿ポッティング材（図示せず）が充填される。なお第１の舟状ケース３６、第２の舟状ケース３７は、デザイン等によっては一体化されることもある。
【０００８】
表示基板３５の上面（上部枠体３８側）には、操作カバー３９を押圧した際にスイッチ３４に動作を伝達する操作ボタン４４を有する操作パネル部材５６を配置する。
【０００９】
一方、高電流の流れる制御基板３１の上面（上部枠体３８側）には、難燃性または不燃性の材質で構成されたカバー体４３を、制御基板３１を覆うように第１の舟状ケース３６に固定する。
【００１０】
上記のように、従来の制御装置の構成は、制御基板３１および表示基板３５の防湿対応を行うとともに、高電流の動作する制御基板３１は、可燃体である上部枠体３８側には、難燃性または不燃性の材質で構成されたカバー体４３を配して、万が一高電流部分からの発火事故が可燃体である上部枠体３８などに類焼する事を防止しようとしてきた。
【特許文献１】特開２００８−６７９０１号公報
【発明の開示】
【発明が解決しようとする課題】
【００１１】
しかしながら、前記従来の構成では、難燃性材質のカバー体４３にて制御基板３１を覆
う構成としているが、制御基板３１部にて何らかの不具合が発生し発熱した場合、その熱によってカバー体４３あるいは基板収納部である第１の舟状ケース３６が熱変形により隙間等が生じると、空気を吸い込む事で発火が増大し、前記隙間から可燃性のある部材に炎が伝わるという重大な不安全事故になるという課題があった。
【００１２】
特にかかる樹脂部材の構成は、異なる製品間や電圧仕様の異なる製品間で生産性を高める為に共用使用する事が多く、高電圧仕様の製品の万一の発火現象に対応しきれていなかった。
【００１３】
本発明は上記従来の課題を解決するもので、制御装置（制御基板）に万が一に発火現象が発生しても拡大被害を防止する事を目的としている。
【課題を解決するための手段】
【００１４】
前記従来の課題を解決するために、本発明の洗濯機は、洗濯機本体の上部枠体内部に配した操作用のスイッチ等を実装する操作基板と、高電流の流れる制御部品を実装した制御基板と、前記操作基板と前記制御基板を内装する難燃樹脂製の基板収納部と、前記操作基板と前記制御基板を内装した状態で前記基板収納部内部に充填した防湿用ポッティング材と、前記制御基板上面に制御基板を覆うように構成した制御基板カバーとを備え、前記制御基板カバーは、側面にて前記基板収納部との嵌合部を利用して防水構造を有し、前記基板収納部の制御基板部下面に金属鋼板製の下面板金カバー、前記制御基板カバー上面に金属鋼板製の上面板金カバーを構成したものである。
【００１５】
これにより、発火の可能性のある高電流が流れる部材を制御基板に集中させ、制御基板にて発熱、及び発火があったとしても難燃性樹脂部材と金属鋼板製の板金カバーにて覆い延焼を防ぎ、製品の安全性を向上させる事ができる。
【発明の効果】
【００１６】
本発明の洗濯機は、制御基板からの発火事故の際、他の部材への類焼を完全に防ぎ安全性を向上させる事ができる。
【発明を実施するための最良の形態】
【００１７】
第１の発明は、洗濯機本体の上部に装着し略中央部に衣類投入口を有する上部枠体と、前記上部枠体の前方の内部に配した操作用のスイッチ及びＬＥＤ等を実装する操作基板と、洗濯機を制御する高電流の流れる制御部品を実装した制御基板と、前記操作基板と前記上部枠体との間に配設したボタン部を有する操作パネルと、前記操作基板と前記制御基板と接続して情報を共有する通信用リード線と、前記操作基板と前記制御基板を内装する難燃樹脂製の基板収納部と、前記操作基板と前記制御基板を内装した状態で前記基板収納部内部にウレタン樹脂等を充填した防湿用ポッティング材と、前記制御基板の上面に前記制御基板を覆うように構成した制御基板カバーとを備え、前記制御基板カバーは、側面にて前記基板収納部との嵌合部を利用して防水構造を有し、前記基板収納部の制御基板部の下方に金属鋼板製の下面板金カバーと、前記制御基板カバー上面に金属鋼板製の上面板金カバーを構成したことにより、発火の可能性のある高電流が流れる部材を制御基板に集中させ、制御基板を難燃樹脂製の基板収納部に収納し、上面に同じく難燃樹脂製の制御基板カバーを配して防水構造とし、さらに、金属鋼板製の上面板金カバー、下面板金カバーで覆ったので、制御基板にて発熱、及び発火があったとしても難燃性樹脂部材の制御基板カバーと上下の板金カバーにて延焼を防ぎ、製品の安全性を向上させる事ができる。
【００１８】
第２の発明は、特に第１の発明の通信用リード線は、基板収納部内の操作基板収納部と制御基板収納部をつなぐ溝部の中を通る様に配線し、前記溝部両側には防湿用ポッティング材溢れ防止用の防水リブを形成し、操作パネルには前記溝部及び前記防水リブ部の約半
分を覆う様に構成した操作パネル庇部と、制御基板カバーには前記溝部及び前記防水リブ部の残り半分を覆い、更に前記操作パネル庇部の一部までを覆う様に構成した制御基板カバー庇部を形成し、衣類投入口側の前記防水リブ外側に水抜き穴を設けたことにより、溝部からの制御基板部または操作基板部への水の浸入による絶縁低下を防ぎ、安全性を向上させることができる。
【００１９】
第３の発明は、特に第１または第２の発明の基板収納部は、制御基板を内装した外周部には下面板金カバー端部を挿入する下面板金端部挿入溝部を構成し、制御基板カバー外周部には上面板金カバー端部を挿入する上面板金端部挿入溝部を構成したことにより、薄板鋼板で製作された上面板金カバーおよび下面板金カバーの工場での組立や部品交換時の板金端部による怪我を防ぐことができ、安全性を向上する事ができる。
【００２０】
第４の発明は、特に第１〜３のいずれか１つの発明の上面板金カバーは、側面先端部近傍には少なくとも１つ以上の爪部を形成し、前記制御基板カバーの上面板金端部挿入溝部に設けた穴部と嵌合させ、かつ前記下面板金カバーの側面先端部近傍にも少なくとも１つ以上の爪部を径成し、前記下面板金端部挿入溝部に設けた穴部と嵌合する構成としたことにより、ネジ等を使わずに嵌め込み等で組み立てや固定する事ができるので、組立性を向上する事ができる。
【００２１】
第５の発明は、特に第１〜４のいずれか１つの発明の下面板金カバーは、前記基板収納部に少なくとも１つ以上のネジにて固定したことにより、落下等の強い衝撃においても下面板金カバーが外れる可能性をなくす事で、下面板金カバーの落下による安全性の低下や事故を防ぐことができる。
【００２２】
以下、本発明の実施の形態について、図面を参照しながら説明する。なお、この実施の形態によって本発明が限定されるものではない。
【００２３】
（実施の形態１）
図１は、本発明の実施の形態１における洗濯機の上部枠体および制御装置の要部分解斜視図を示すもので、図２（ａ）は、同洗濯機の操作基板と制御基板の接続部の要部断面図、図２（ｂ）は、同洗濯機の基板収納部の要部矢視図、図３〜図５は、同洗濯機の上部枠体前部の要部断面図を示す。
【００２４】
図１の要部分解斜視図に示すように、洗濯機本体１の上方に配した中央に衣類投入口４を有する上部枠体３の前部には、シートにボタンなどの内容を印刷し、裏面に接着剤を塗布した操作カバー１０を貼付し、上部枠体３の内部には、操作用のスイッチ７及びＬＥＤ８等を実装する操作基板１１ａと、操作基板１１ａからの操作信号を受け、モータ（図示せず）等を制御する高電流の流れるトライアック６などの制御部品を実装した制御基板１１ｂを配し、通信用リード線１４にて接続し情報を共有するように構成される。
【００２５】
操作基板１１ａおよび制御基板１１ｂは、難燃樹脂製の基板収納部１２に内装するとともに、ウレタン樹脂等の防湿用ポッティング材５４を充填して封止する。
【００２６】
基板収納部１２および操作基板１１ａと上部枠体３との間には、操作パネル部１５を配し、操作パネル部１５には、操作基板１１ａ上のスイッチ７に操作カバー１０での操作を伝達するボタン部１３や、ＬＥＤ８の光を操作カバー１０の近傍まで導く導光路５５を設けるとともに、外周部にて基板収納部１２と重なりあうラビリンス形状Ａ９ａを設け、防水構造を有している。
【００２７】
基板収納部１２の制御基板１１ｂ側と上部枠体３との間には難燃樹脂製の制御基板カバ
ー１６を配設しており、外周にて基板収納部１２と重なり合うラビリンス形状Ｂ９ｂを設け、防水構造を施す。
【００２８】
さらに、制御基板１１ｂを上面から覆う制御基板カバー１６の上面には、金属鋼板製の上面板金カバー１７を配し、一方制御基板１１ｂを内装した制御基板収納部１２ｂの下面からは、金属鋼板製の下面板金カバー１８を取り付ける構成である。
【００２９】
従って、制御基板１１ｂは、その上面、下面共に難燃樹脂製の制御基板カバー１６と基板収納部１２とで周囲をラビリンス形状で防水構造とし、さらに金属鋼板製の上面板金カバー１７と下面板金カバー１８とで、完全な防火構造を構成する。
【００３０】
また、図２（ａ）に示すように、操作基板１１ａと制御基板１１ｂは通信用リード線１４を通して情報を共有しており、通信用リード線１４は基板収納部１２内に設けられた操作基板収納部１２ａと制御基板収納部１２ｂをつなぐ溝部１９の中を通る様に配線し、溝部１９両側には防湿用ポッティング材５４の溢れ防止用の防水リブ２０を設ける。
【００３１】
操作パネル部１５には溝部１９及び防水リブ２０部全長の約半分を覆う様に構成した操作パネル庇（ひさし）部２１を形成し、制御基板カバー１６には溝部１９及び防水リブ部２０の残り半分を覆い、かつ操作パネル庇部２１の一部までを覆う様に構成した制御基板カバー庇（ひさし）部２２を延設して溝部１９からの水の浸入を防止する。
【００３２】
さらに、図２（ｂ）の矢視図に示すように、基板収納部１２の形状は、投入口（矢印Ａで示す）側の防水リブ２０の外側には排水を目的とした水抜き穴２３を設けている。投入口４（図１で図示）は衣類の出し入れを行うので、この方面からの飛沫等で浸入した水分が、防水リブ２０の内方に浸入する前に水抜き穴２３より滴下させる。
【００３３】
図３に示すように、基板収納部１２の制御基板１１ｂの外周部には、下面板金カバー１８の側面端部１８ａを挿入する下面板金端部挿入溝部２４を構成し、一方、制御基板カバー１６外周部には上面板金カバー１７の側面端部１７ａが挿入される上面板金端部挿入溝部５０を構成している。上面板金カバー１７の側面端部１７ａの下端部と、下面板金カバー１８の側面端部１８ａの上端とは、寸法Ｓだけオーバーラップ（上下方向で重なり）を構成し、制御基板１１ｂの万が一の発火が外方に類焼する事が無いように形成している。
【００３４】
図４に示すように、上面板金カバー１７の側面端部１７ａ近傍には、少なくとも１つ以上の上面板金カバー爪部２６が構成されており、制御基板カバー１６外周の上面板金端部挿入溝部５０に設けた制御基板カバー１６の穴部２７と嵌合することで保持され、また、下面板金カバー１８の側面端部１８ａの近傍にも少なくとも１つ以上の下面板金カバー爪部２８を構成し、基板収納部１２外周の端面挿入溝部２４に設けた基板収納部１２の穴部２９と嵌合し保持される構成となっている。この爪部と穴部の関係は逆の構成でも同じ効果を示す事は明白である。
【００３５】
図５に示すように、下面板金カバー１８は、少なくとも１つ以上のネジ５１にて下方より基板収納部１２に一体形成したボス部５３に固定する構成としている。
【００３６】
以上のように構成された洗濯機について、以下その動作、作用を説明する。
【００３７】
発火の可能性のある高電流が流れる部材を制御基板１１ｂに集中させ、難燃性材料の制御基板カバー１６と鋼板製の上面板金カバー１７を配設し、また基板収納部１２の制御基板１１ｂ側下面には下面板金カバー１８を配設し、基板収納部１２と重なり合う操作パネル部１５のラビリンス形状Ａ９ａと制御基板カバー１６のラビリンス形状Ｂ９ｂによる防
水構造にて、制御基板１１ｂおよび、操作基板１１ａへの水の浸入を防ぐと共に、上面板金カバー１７の側面端部１７ａと下面板金カバー１８の側面端部１８ａとのオーバーラップする構成により、制御基板１１ａにて発熱、及び発火があったとしても難燃性樹脂部材の制御基板カバー１６と上下の板金カバーにて延焼を防ぎ、製品の安全性を向上させる事ができる。
【００３８】
なお、制御基板１１ａの上面を板金部材で覆いこんでいるので、スペース的に余裕があり、リード線などが上面板金カバー１７のエッジ部に触れない構成であれば、制御基板カバー１６を廃止し、上面板金カバー１７で覆う事も可能であるのは言うまでも無い。
【００３９】
また、操作基板１１ａと制御基板１１ｂを接続する通信用リード線１４を配線する溝部１９は、重なり合う操作パネル庇部２１と制御基板カバー庇部２２により、制御基板部１１ｂまたは操作基板部１１ａへの水の浸入を防ぎ、絶縁性を確保しているので安全性を向上させることができる。
【００４０】
また、薄板鋼板で製作された上面板金カバー１７および下面板金カバー１８の端面は、端面挿入溝部に挿入されているので、工場での組立や部品交換時の作業時での板金端部による怪我を防ぐことができ、安全性を向上する事ができる。
【００４１】
さらに、上面板金カバー１７および下面板金カバー１８は、上面板金カバー爪部２６、下面板金カバー２８を制御基板カバー１６の穴部２７、基板収納部１２の穴部２９と嵌合することで保持されるので、ネジ等を使わずに嵌め込み等で組み立てや固定する事ができ、組立性を向上する事ができる。
【００４２】
また、下面板金カバー１８は、下面から基板収納部１２に下面板金カバー爪部２８で嵌合取付けされているので、通常であれば落下等の恐れは無いが、強い衝撃においても万が一にも離脱することの無いようにネジにて取り付けたので、より安全な構成を得る事ができる。
【産業上の利用可能性】
【００４３】
以上のように、本発明にかかる洗濯機は、制御基板に高電流が流れる部材を集中させ、難燃性のカバー、および金属鋼板製の板金カバー覆ったので万一の発火事故の拡大被害を防止する事ができ、製品の安全性を向上する事が可能であるため、高電流と低電流の混在する制御装置を有するこの種の電気機器に適用できる。
【図面の簡単な説明】
【００４４】
【図１】本発明の実施の形態における洗濯機の上部枠体および制御装置の要部分解斜視図
【図２】（ａ）同洗濯機の操作基板と制御基板の接続部の要部断面図（ｂ）同洗濯機の基板収納部の要部矢視図
【図３】同洗濯機の上部枠体前部の要部断面図
【図４】同洗濯機の上部枠体前部の要部断面図
【図５】同洗濯機の上部枠体前部の要部断面図
【図６】従来の洗濯機の上部枠体および制御装置の要部分解斜視図
【符号の説明】
【００４５】
１  洗濯機本体
３  上部枠体
４  衣類投入口
７  スイッチ
８  ＬＥＤ
９ａ  ラビリンス形状Ａ（防水構造）
９ｂ  ラビリンス形状Ｂ（防水構造）
１１ａ  操作基板
１１ｂ  制御基板
１２  基板収納部
１２ａ  操作基板収納部
１２ｂ  制御基板収納部
１３  ボタン部
１４  通信用リード線
１５  操作パネル
１６  制御基板カバー
１７  上面板金カバー
１８  下面板金カバー
１９  溝部
２０  防水リブ
２１  操作パネル庇部
２２  制御基板カバー庇部
２３  水抜き穴
２４  下面板金端部挿入溝部
２６  上面板金カバー爪部（爪部）
２７  制御基板カバー穴部（穴部）
２８  下面板金カバー爪部（爪部）
２９  基板収納部穴部（穴部）
５０  上面板金端部挿入溝部
５１  ネジ
５４  防湿用ポッティング材
【図１】
2010094249.tif 000003
【図２】
2010094249.tif 000004
【図３】
2010094249.tif 000005
【図４】
2010094249.tif 000006
【図５】
2010094249.tif 000007
【図６】
2010094249.tif 000008